(57)【要約】【課題】ゴミ箱特有の不潔感と不快なゴミの集約された不快なゴミの持つ匂いや、ゴミ箱全体の汚いイメージからなる、ゴミ箱の持つ不快差を無くし、ゴミ箱でありながらゴミ箱全体が、花容器に見える簡易ゴミ容器用花ポット器具を提供する。【解決手段】ポット本体（１）の内部に網目の花差し筒（６）を立設するように設け、花差し口（２）の開口部の彎曲形状に沿った上部縁面に、彎曲形挟着（３）を設け、もう一方の開口部側面の平面側上部の縁面に沿って、折曲したＵ字形挟着（４）を設けたことを特徴とする。【選択図】    図１
2004168543.tif 000002
【特許請求の範囲】
【請求項１】
ポット本体（１）の上部に、花差し口（２）の開口部を有し花差し口（２）の開口部の一方の面側に当たる彎曲形状に沿った上部縁面に沿って、折曲した彎曲形挟着（３）を設け、もう一方の開口部側面の平面側上部の縁面に沿って、折曲したＵ字形挟着（４）を設け、Ｕ字形挟着（４）の面には、ポット本体（１）を支え保持出来る吊着用孔（５）を設けた簡易ゴミ容器に取り付けられる花ポット器具。
【請求項２】
ポット本体（１）の中に、網目で作られた、網目の花差し（５）を立設してなる請求項１記載の簡易ゴミ容器に取り付けられる花ポット器具。
【発明の詳細な説明】
【０００１】
【発明の属する技術分野】
この発明は、ゴミ箱特有の不潔感と不快なゴミの集約された不快なゴミの持つ匂いや、ゴミ箱全体の汚いイメージからなる、ゴミ箱の持つ不快差を無くしゴミ箱でありながらゴミ箱全体が花容器に見える簡易ゴミ容器用花ポット器具に関するものである。
【０００２】
【従来の技術】
従来、ゴミ箱は、不要になった汚物のついたテッシュや生ゴミなども含む不要なものを破棄捨てたゴミを収納する丸形や四角い形状などした容器等であり、人目につかないところなどに置いて用いられ又不潔感が感じられるため、概観に工夫をこらし、ゴミ容器の形状面にデザインを施したり、素材の持ち味を施した材料を表面に表現して、少しでも不潔感を和らげるように概観を綺麗にした。
従来には、ゴミ箱に投入されているゴミを目にすることのないようにする場合にゴミ投入口に開閉できる蓋などの装置が使用されている。（例えば特許文献１参照）。またゴミ箱に投入された生ゴミなどからでる臭気を押さえるようにする場合に粒紛状木炭が持つ吸湿吸臭特性を利用されている。（例えば特許文献２参照）。また花（９）を長もちさせる場合に水を清潔に保つ装置が使用されている。
（例えば特許文献３参照）。また花（９）を差したときの花（９）の配置を良くするように利用されている。（例えば特許文献４参照）。
【０００３】
【特許文献１】
特開１９９７−１１０１０５号公報
【特許文献２】
特開１９９９−１８１６１２号公報
【特許文献３】
特開１９９７−１５４４０４号公報
【特許文献４】
実開１９９３−８０３６７号公報
【０００４】
【発明が解決しようとする課題】
これは次のような欠点があった。
イ．概観が綺麗であるが、ゴミ箱の中は「不潔」感のイメージがある。
ロ．ゴミ箱を、見えないところに置いてしまう。
ハ．ゴミ箱を、身近には置きたくない。
ニ、ゴミ箱の中を見えない様にカバーなどのふたを装備する。
ホ、捨てたゴミによる不快な臭いを部屋に立ち込めさせてします。
ヘ、ゴミ箱の素材形状などによっては、部屋に不似合いな違和感をもたらす。
本発明は、以上の欠点を解決するためになされたものである。
【０００５】
【問題を解決するための手段】
ポット本体（１）の内部に網目の花差し筒（６）を立設するように設ける。そして、花差し口（２）の開口部の彎曲形状に沿った上部縁面に、彎曲形挟着（３）を設け、もう一方の開口部側面の平面側上部の縁面に沿って、折曲したＵ字形挟着（４）を設け、Ｕ字形挟着（４）の面には吊着用孔（５）を設ける。
本発明は、以上の構成よりなる簡易ゴミ容器に取り付けられる花ポット器具である。
【０００６】
【発明の実施の形態】
以下、本発明の実施の形態を説明する。
（イ）ポット本体（１）上部の開口部に、花差し口（２）を設ける。
（ロ）花差し口（２）の、彎曲形状に沿った上部縁面部分に、彎曲形挟着（３）を設ける。
（ハ）花差し口（２）の、開口部側面の平面側上部の縁面に沿って、折曲したＵ字形挟着（４）を設ける。
（ニ）Ｕ字形挟着（４）の面に、ポット本体（１）を支え保持出来る吊着用孔（５）を設ける。
（ホ）ポット本体（１）の内部に網目の花差し筒（５）を立設するよう設ける。
本発明は、以上の構成よりなっている。
本発明を使用するときは、簡易ゴミ箱の形状の縁に沿って、挟着部に、挟装するだけで、次のようにして不快なゴミ箱が、爽やかな花入れポットを備えた器具になる。花入れポットを備えていない
簡易ゴミ箱の容器箱の中は、さまざまな生ゴミを収納され放置されるため不快な箱になる。
したがって、彎曲形挟着（３）もしくはＵ字形挟着（４）を支えることのできる形状のゴミ箱にポット本体（１）を挟装することにより、不快なゴミを入れるゴミ箱は、ポット本体（１）を丸型ゴミ箱本体（１０）もしくは角型ゴミ箱本体（１１）の両形態どちらにも挟装取り付ける事が出来、不快なゴミ箱は、簡易な花入れポットになる。このとき、ゴミ箱はポット本体（１）に花入れポットを備えるため、不快なゴミ箱のイメージは取り除かれる。
この結果、ゴミ箱はごみ入れの役割も果たし、使いやすい身近な所はもちろん置き場所を問わず、不快なゴミが視線に入りにくくなり、花（９）のもつ爽やかな香りも働き、生ゴミの悪臭やその他のゴミ類の不快さから解放される。Ｕ字形挟着（４）の面に、ポット本体（１）を支え保持出来る吊着用孔（５）を設けてあるため、壁などに容易に吊り下げることも出来、部屋飾りにもポット本体（１）単体の使用の工夫も可能である。
また、網目の花差し筒（６）に花もちを良くするため、注いだ水（８）が腐敗や汚れにくくするような仕様に工夫をして、網目の花差し筒（６）の中に炭（７）などを入れることにより、水（８）の浄化をはかる事ができる。
さらに、生花でない、人工の花すなわち、造花を用いて飾るときは、網目の花差し筒（６）の中に用いた炭（７）などは、生ゴミなどから発する不快な臭いを、炭（７）などの持つ多孔質な性質の材料を併用することににより、部屋などにただよう不快な臭いを吸収し封じ込めてくれる効果を利用することができ、見た目の花飾りの効果と不快な臭いを取り込んでくれる同時効果が得られる。
また、網目の花差し筒（６）は、ポット本体（１）に設けた花差し口（２）の間口の形状から、花差しの花（９）の量ならびにボリュウム差等により、花（９）が左右に散らばらないように工夫する必要が有る。
網目の花差し筒（６）を利用する事により、花差しの見栄えを補う事ができ、花飾りの効果を引き出すことが出来、ポット本体（１）の効果をさらに高めることができる。
【０００７】
【発明の効果】
本発明を使用することによって、不快なゴミや汚物や生ゴミの入った簡易ゴミ箱を、一変して鮮やかな花ポット入れになるので、これまでのゴミ箱のもつ不快感さを除去し、不快な臭いや汚いイメージなどを解決する。しかも今使用のゴミ箱を改造したりすることもない。
【図面の簡単な説明】
【図１】本発明の正面斜視図
【図２】本発明の側面斜視図
【図３】本発明の付属品斜視図
【図４】本発明の使用状態を示す分解斜視図
【図５】本発明の使用状態を示す側面斜視図
【図６】本発明の使用状態を示す斜視図
【図７】本発明の使用状態を示す斜視図
【図８】本発明の使用状態を示す斜視図
【符号の説明】
１  ポット本体
２  花差し口
３  彎曲形挟着
４  Ｕ字形挟着
５  吊着用孔
６  網目の花差し筒
７  炭
８  水
９  花
１０  丸型ゴミ箱本体
１１  角型ゴミ箱本体
【図１】
2004168543.tif 000003
【図２】
2004168543.tif 000004
【図３】
2004168543.tif 000005
【図４】
2004168543.tif 000006
【図５】
2004168543.tif 000007
【図６】
2004168543.tif 000008
【図７】
2004168543.tif 000009
【図８】
2004168543.tif 000010